(57)【特許請求の範囲】
【請求項１】
床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの床パネルに股がって、巾８００ｍｍ以上の耐力壁パネルが立設され、耐力壁パネルの各床パネルへの接合長さはそれぞれ７００ｍｍ未満とされるとともに、
上記建物ユニットに股がって立設される耐力壁パネルには、その上に載置される屋根ユニットのトラス端部と同一鉛直線上に来る柱が各床パネル上にそれぞれ設けられていることを特徴とするユニット建物。
【請求項２】
床パネルと、その床パネルの少なくとも一部の側縁に立設される壁パネルとが箱形に組み立てられた建物ユニットを隣接配置してなるユニット建物であって、三つの建物ユニットが長辺側同士で並べられ、前記床パネルの２５００ｍｍ以下の長さの側縁における前記壁パネルが立設されていない箇所が隣接するように配置された相隣り合う床パネルに股がって、巾８００ｍｍ以上の耐力壁パネルが二つ立設され、耐力壁パネルの各床パネルへの接合長さはそれぞれ７００ｍｍ未満とされるとともに、
上記建物ユニットに股がって立設される耐力壁パネルには、その上に載置される屋根ユニットのトラス端部と同一鉛直線上に来る柱が各床パネル上にそれぞれ設けられていることを特徴とするユニット建物。
【請求項３】
床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの各々の床パネルの前記壁パネルが立設されていない箇所に、巾７００ｍｍ未満の壁枠組みが立設され、壁枠組みの合計長さは８００ｍｍ以上とされ、二つの壁枠組みに面材が渡貼りされて耐力壁となされるとともに、
上記二つの壁枠組みには、その上に載置される屋根ユニットのトラス端部と同一鉛直線上に来る柱が各床パネル上にそれぞれ設けられていることを特徴とするユニット建物。
【請求項４】
床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの各々の床パネルの前記壁パネルが立設されていない箇所に、巾７００ｍｍ未満の耐力壁パネルが立設され、耐力壁パネルの合計長さは８００ｍｍ以上とされ、二つの耐力壁パネルの縦枠同士がスペーサーを介して接合されるとともに、
上記耐力壁パネルには、その上に載置される屋根ユニットのトラス端部と同一鉛直線上に来る柱が各床パネル上にそれぞれ設けられていることを特徴とするユニット建物。
【請求項５】
床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁が一列になるように隣り合う二つの建物ユニットの各々の床パネルに股がって壁パネルが立設され、該壁パネルには上記床パネルに股がる領域に巾８００ｍｍ以上の耐力壁が一体化され、該耐力壁の各床パネルへの接合長さはそれぞれ７００ｍｍ未満とされているとともに、
上記耐力壁には、その上に載置される屋根ユニットのトラス端部と同一鉛直線上に来る柱が各床パネル上にそれぞれ設けられていることを特徴とするユニット建物。
【発明の詳細な説明】
【０００１】
【発明の属する技術分野】
この発明は、壁式工法による箱形状の建物ユニットの複数からなるユニット建物に関する。
【０００２】
【従来の技術】
従来、壁式工法の箱形状の建物ユニットからなるユニット建物が、特開昭６０−３３９５８号公報に記載されているように、知られている。これは、床パネルに壁パネルを立設してなる箱形状の建物ユニットの複数と、各建物ユニットの上部に接合される屋根ユニットとを、建築現場で組み立て１戸の建物に構築するものである。この建物ユニットは、工場で予め生産される。
【０００３】
【発明が解決しようとする課題】
ところで、木質の壁式工法の建物にあっても、３階建てが許されるなど、建物に高強度が要求されるようになってきた。ところが、上記特開昭６０−３３９５８号公報に記載のユニット建物にあっては、建物の構造耐力上主要な壁（耐力壁という）は、すべて、建物ユニットの床パネルの側縁に限定されて立設されていた。
【０００４】
耐力壁は高さの１／３以上の巾を有しなければならない。壁の高さは居室高さより２４００ｍｍ以上必要なので、巾は８００ｍｍ以上必要となる。
従来のユニット建物では、耐力壁は各建物ユニット単位で設けられており、ユニットに股がって耐力壁を構成するものはなかった。
【０００５】
また、建物ユニットは工場から現地へ輸送する必要上、建物ユニットの短辺側寸法は２５００ｍｍ未満とされており、その内８００ｍｍ以上を耐力壁で占有されてしまうと、残りは１７００ｍｍ以下となり、開口部の位置や大きさに制約があった。
例えば、図９イ）に示すように、二つの建物ユニット１，１を長辺側同士並べて、短辺側ａ＋ｂの二辺５０００ｍｍ長の範囲に８００ｍｍ長の耐力壁が一つ必要となる場合、ａの範囲では１８００ｍｍ巾（いわゆる二間間口）の開口部が取れず、１８００ｍｍ巾以上の開口部は一つ（ｂ辺側）しか取れなかった。
あるいは、図９ロ）に示すように、三つの建物ユニット１，２，１を長辺側同士並べて、短辺側ａ＋ｂ＋ｃの三辺７５００ｍｍ長の範囲に８００ｍｍ長の耐力壁が二つ必要となる場合、やはり１８００ｍｍ巾以上の開口部は一つしか取れなかった。
【０００６】
この発明は、上述の従来技術の問題点を解消し、耐力壁パネルを立設しても、間口の位置や大きさに制約が少なく、間取りプランの自由度も上がるユニット建物を提供することを目的とする。
【０００７】
【課題を解決するための手段】
請求項１記載の発明は、床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの床パネルに股がって、巾８００ｍｍ以上の耐力壁パネルが立設され、耐力壁パネルの各床パネルへの接合長さはそれぞれ７００ｍｍ未満とされるとともに、上記建物ユニットに股がって立設される耐力壁パネルには、その上に載置される屋根ユニットのトラス端部と同一鉛直線上に来る柱が各床パネル上にそれぞれ設けられていることを特徴とする。
【０００８】
請求項２記載の発明は、床パネルと、その床パネルの少なくとも一部の側縁に立設される壁パネルとが箱形に組み立てられた建物ユニットを隣接配置してなるユニット建物であって、三つの建物ユニットが長辺側同士で並べられ、前記床パネルの２５００ｍｍ以下の長さの側縁における前記壁パネルが立設されていない箇所が隣接するように配置された相隣り合う床パネルに股がって、巾８００ｍｍ以上の耐力壁パネルが二つ立設され、耐力壁パネルの各床パネルへの接合長さはそれぞれ７００ｍｍ未満とされるとともに、上記建物ユニットに股がって立設される耐力壁パネルには、その上に載置される屋根ユニットのトラス端部と同一鉛直線上に来る柱が各床パネル上にそれぞれ設けられていることを特徴とする。
【０００９】
請求項３記載の発明は、床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの各々の床パネルの前記壁パネルが立設されていない箇所に、巾７００ｍｍ未満の壁枠組みが立設され、壁枠組みの合計長さは８００ｍｍ以上とされ、二つの壁枠組みに面材が渡貼りされて耐力壁となされるとともに、上記二つの壁枠組みには、その上に載置される屋根ユニットのトラス端部と同一鉛直線上に来る柱が各床パネル上にそれぞれ設けられていることを特徴とする。
【００１０】
請求項４記載の発明は、床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁における前記壁パネルが立設されていない箇所が隣接するように配置された二つの建物ユニットの各々の床パネルの前記壁パネルが立設されていない箇所に、巾７００ｍｍ未満の耐力壁パネルが立設され、耐力壁パネルの合計長さは８００ｍｍ以上とされ、二つの耐力壁パネルの縦枠同士がスペーサーを介して接合されるとともに、上記耐力壁パネルには、その上に載置される屋根ユニットのトラス端部と同一鉛直線上に来る柱が各床パネル上にそれぞれ設けられていることを特徴とする。
【００１１】
請求項５記載の発明は、床パネルと、その床パネルの少なくとも一部の側縁に立設される壁パネルとが箱形に組み立てられた建物ユニットを隣接配置してなるユニット建物であって、前記床パネルの２５００ｍｍ以下の長さの側縁が一列になるように隣り合う二つの建物ユニットの各々の床パネルに股がって壁パネルが立設され、該壁パネルには上記床パネルに股がる領域に巾８００ｍｍ以上の耐力壁が一体化され、該耐力壁の各床パネルへの接合長さはそれぞれ７００ｍｍ未満とされているとともに、上記耐力壁には、その上に載置される屋根ユニットのトラス端部と同一鉛直線上に来る柱が各床パネル上にそれぞれ設けられていることを特徴とする。
【００１３】
そして、本発明は、上記のいずれかに記載のユニット建物であって、上記建物ユニットに股がって立設される耐力壁パネルには、その上に載置される屋根ユニットのトラス端部と同一鉛直線上に来る柱が各床パネル上にそれぞれ設けられていることを特徴とする。
【００１４】
（作用）
請求項１記載のユニット建物は、二つの建物ユニットの床パネルに股がって、巾８００ｍｍ以上の耐力壁パネルが立設され、耐力壁パネルの各床パネルへの接合長さはそれぞれ７００ｍｍ未満とされているから、例えば、建物ユニットの短辺側の長さが２５００ｍｍ長の場合、二つを隣接配置して合計５０００ｍｍ長の間に、巾１８００ｍｍ以上の開口部を二つ設けることができる。
【００１５】
請求項２記載のユニット建物は、三つの建物ユニットが長辺側同士で並べられ、相隣り合う床パネルに股がって、巾８００ｍｍ以上の耐力壁パネルが二つ立設され、耐力壁パネルの各床パネルへの接合長さはそれぞれ７００ｍｍ未満とされているから、例えば、建物ユニットの短辺側の長さが２５００ｍｍ長の場合、三つを隣接配置して合計７５００ｍｍ長の間に、巾１８００ｍｍ以上の開口部を二つ設けることができる。
【００１６】
請求項３記載のユニット建物は、隣り合う二つの建物ユニットの各々の床パネルに、巾７００ｍｍ未満の壁枠組みが立設され、壁枠組みの合計長さは８００ｍｍ以上とされ、工場付けされた二つの壁枠組みに、現地で面材が渡貼りされて耐力壁となされるから、現地施工工数が少なくて済み、壁内配線を床ともつないだ状態で工場付けできる。
【００１７】
請求項４記載のユニット建物は、隣り合う二つの建物ユニットの各々の床パネルに、巾７００ｍｍ未満の耐力壁パネルが立設され、耐力壁パネルの合計長さは８００ｍｍ以上とされ、工場付けされた二つの耐力壁パネルの縦枠の間に、現地でスペーサーを介して接合されて耐力壁となされるから、現地施工工数が少なくて済み、壁内配線を床ともつないだ状態で工場付けできるし、内面材を渡し貼りにすればさらに耐力壁の強度が上がる。
【００１８】
請求項５記載のユニット建物は、隣り合う二つの建物ユニットの各々の床パネルに股がって壁パネルが立設され、該壁パネルには上記床パネルに股がる領域に巾８００ｍｍ以上の耐力壁が一体化されているから、ユニット建物の強度が上がる。また、プラン上の自由度が上がる。さらに、壁パネル全体の仕上げ（塗装、クロス貼り、建具取付け）が工場で行うことができ、内外装が一体的になされ美麗に仕上がる。また、現地施工工数も少なくて済む。
【００２０】
そして、本発明のユニット建物は、上記建物ユニットに股がって立設される耐力壁パネルには、その上に載置される屋根ユニットのトラス端部と同一鉛直線上に柱が設けられているので、屋根等の上部構造体の荷重を、耐力壁を構成する柱で受け、下階居室ユニットや基礎等に分散でき、ユニット建物の構造強度に優れる。
【００２１】
【発明の実施の形態】
以下、本発明の実施の形態について図面を参照しながら詳細に説明する。
図１は本発明の一実施例であるユニット建物を説明する斜視図、図２（イ）は開口部を含む部分の壁が立設されたコの字壁状の建物ユニットの斜視図、図２（ロ）は開口部を含む部分の壁が立設された二の字壁状の建物ユニットの斜視図、図３（イ）は建物ユニットを二つ隣接配置した平面図、図３（ロ）は耐力壁を立設する状況を示す斜視図、図４（イ）は建物ユニットを三つ隣接配置した平面図、図４（ロ）は耐力壁を立設する状況を示す斜視図、図５（イ）は建物ユニットを三つ隣接配置した平面図、図５（ロ）は耐力壁を立設する状況を示す斜視図、図６は壁パネル同士を接合して、耐力壁とする状況を示す斜視図である。図７（イ）は開口部と耐力壁一体型壁パネルを立設する状況を示す斜視図、（ロ）はその平面図、図８（イ）は開口部と耐力壁一体型壁パネルと屋根ユニットを立設する状況を示す斜視図、（ロ）はその開口部と耐力壁一体型壁パネルの枠組み割付図である。
【００２２】
図１において、ユニット建物Ｕは、箱形状でコの字壁状の建物ユニット１と、二の字壁状の建物ユニット２と、屋根ユニット８とによって、基礎９の上に３階建てに組み立てられている。
【００２３】
コの字壁状の建物ユニット１は、図２（イ）に示すように、床パネル１１の二つの側縁に耐力壁パネル１２，１３が立設されている。耐力壁パネル１２に相対向する床パネル１１の側縁には開口部１５付きで側部１６の部分が無い壁パネル１４が立設されている。
【００２４】
二の字壁状の建物ユニット２は、図２（ロ）に示すように、床パネル２１の相対向する２つの側縁にそれぞれに耐力壁パネル２２と、開口部２４付きで両側２５，２５の部分が無い壁パネル２３が立設されている。
【００２５】
（実施例１）
図３（イ）は建物ユニット１，１を隣接配置したユニット建物の平面図であり、耐力壁１２，１２に相対向する側縁に開口部１５付き壁パネル１４，１４が立設されている。
建物ユニット１の巾は２５００ｍｍであり、開口部１５付き壁パネル１４の巾は２１００ｍｍであり、４００ｍｍユニット巾より短くなされている。しかし、開口部１５の巾は１８００ｍｍあり、いわゆる二間間口の開口を有している。
そして、図３（ロ）に示すように、二つの床パネル１１（接合長さ４００ｍｍ），１１（接合長さ４００ｍｍ）に股がって、開口部１５付き壁パネル１４，１４の間に合計８００ｍｍの耐力壁パネル３を立設し、耐力壁パネル３の枠組み３１の下端と床パネル１１とは釘打ちされて緊結され、さらに、両側の開口部１５付き壁パネル１４，１４の上端部とが頭つなぎ材（ジョイントプレート）４で連結されている。
すなわち、二つの建物ユニットを並べて、８００ｍｍ巾以上の耐力壁が設けられても１８００ｍｍ巾以上の開口部を二箇所取ることができる。
【００２６】
（実施例２）
図４（イ）は建物ユニット１，２，１を隣接配置したユニット建物の平面図であり、耐力壁１２，２２，１２に相対向する側縁に開口部１５付き壁パネル１４，開口部２４付き壁パネル２３，開口部１５付き壁パネル１４が立設されている。
建物ユニット１の巾、開口部１５付き壁パネル１４の巾、及び開口部１５の巾は実施例１と同様である。また、建物ユニット２の巾は２５００ｍｍであり、開口部２４付き壁パネル２３の巾は１７００ｍｍであり、両側をそれぞれ４００ｍｍづつ合計８００ｍｍユニット巾より短くなされている。そのため開口部２４の巾は１３５０ｍｍであり、１．５間間口のやや狭い開口を有している。
そして、二つの床パネル１１（接合長さ４００ｍｍ），２１（接合長さ４００ｍｍ）及び２１（接合長さ４００ｍｍ），１１（接合長さ４００ｍｍ）にそれぞれ股がって、８００ｍｍの耐力壁パネル３，３を立設し、図４（ロ）に示すように、耐力壁パネル３の枠組み３１の下端と床パネル１１とは釘打ちされて緊結され、さらに、両側の開口部２４付き壁パネル２３、及び開口部１５付き壁パネル１４の上端部とがそれぞれ頭つなぎ材（ジョイントプレート）４で連結されている。
すなわち、三つの建物ユニットを並べて、８００ｍｍ巾以上の耐力壁が二つ設けられても１８００ｍｍ巾以上の開口部を二箇所設けることができる。
【００２７】
（実施例３）
図５（イ）は建物ユニット１，２，１を隣接配置したユニット建物の平面図であり、耐力壁１２，２２，１２に相対向する側縁に開口部１５付き壁パネル１４，開口部２４付き壁パネル２３，開口部１５付き壁パネル１４が立設されている。また、耐力壁パネル３Ａ用の枠組み３２Ａが、建物ユニット１，１にそれぞれ一箇所、建物ユニット２に二箇所，予め工場で立設されている。
建物ユニット１，２の巾、開口部１５付き壁パネル１４の巾、及び開口部２４付き壁パネル２３の巾、開口部１５の巾、及び２４の巾は実施例２と同様である。また、耐力壁パネル３Ａ用の枠組み３２Ａの巾は４００ｍｍであり、枠組み３２Ａを二つ合わせて８００ｍｍ巾となし、渡し貼り面材３１Ａを貼設して耐力壁３Ａとする。
そして、二つの床パネル１１，２１及び２１，１１にそれぞれ立設された４００ｍｍ巾の枠組み３２Ａ，３２Ａに、屋外側より、図５（ロ）に示すように、硬質木片セメント板の渡し貼り面材３１Ａが釘打ちされて貼設され、さらに、両側の開口部２４付き壁パネル２３、開口部１５付き壁パネル１４、及び枠組み３２Ａ，３２Ａの上端部とがそれぞれ頭つなぎ材（ジョイントプレート）４で連結されている。
すなわち、三つの建物ユニットを並べて、８００ｍｍ巾以上の耐力壁が二つ設けられても１８００ｍｍ巾以上の開口部を二箇所設けることができる。
【００２８】
（実施例４）
図６は建物ユニット１，１を隣接配置したユニット建物の斜視図であり、開口部１５付き壁パネル１４，１４の間に耐力壁３Ｂ用の枠組み３２Ｂ，３２Ｂが予め工場で立設され、また、外壁面材３１Ｂ，３１Ｂも予め貼設されている。
建物ユニット１の巾、開口部１５付き壁パネル１４の巾、開口部１５の巾実施例２と同様である。また、耐力壁パネル３Ｂ用の枠組み３２Ｂの巾は４００ｍｍであり、枠組み３２Ｂを二つ合わせて８００ｍｍ巾となし、耐力壁３Ｂとする。
すなわち、二つの床パネル１１，１１にそれぞれ立設された４００ｍｍ巾の枠組み３２Ｂ，３２Ｂに、屋内側より、図５（ロ）に示すように、構造用合板からなるスペーサー５を介して縦枠３２１Ｂ，３２１Ｂを貫通するボルト６，６により連結されて耐力壁３Ｂが設けられる。その後耐力壁３Ｂに内壁面材（不図示）を貼るが、渡し貼りにすれば、さらに耐力壁３Ｂの強度が上がるので好ましい。
【００２９】
（実施例５）
図７（イ）は建物ユニット１，１を隣接配置したユニット建物の斜視図であり、連続する建物ユニット１の短辺側の巾２５００ｍｍ×２＝５０００ｍｍ巾の開口に、１８００ｍｍの開口部１５Ｃを２箇所有し、その間に８００ｍｍ以上の耐力壁３Ｃを有し一体になされた、全長５０００ｍｍの壁パネル１０Ｃを現地にて立設する。
図７（ロ）の平面図に示すように、壁パネル１０Ｃは二つの開口部１５Ｃと一体で、且つ耐力壁３Ｃが建物ユニット１，１の床パネル１１，１１に股がって立設されているのでユニット建物の強度が上がる。
壁パネル１０Ｃは工場で内部外部の仕上げ（塗装、クロス貼り、建具取付け）られているので、現地では壁パネル１０Ｃを立設し、ボルト等による締結及び接合部の仕上げのみで完成するので、現地施工工数が少なくてすみ、また美麗に仕上がる。
【００３０】
（実施例６）
図８（イ）は建物ユニット１，１を隣接配置したユニット建物の斜視図であり、連続する建物ユニット１の短辺側の開口に、開口部１５Ｄを２箇所有し、その間に８００ｍｍ以上の耐力壁３Ｄを有し一体になされた壁パネル１０Ｄを現地にて立設する。
次いで屋根ユニット８Ａ，８Ｂをそれぞれの屋根トラス８１，８１端部の縦材８１１，８１１が上記壁パネル１０Ｄの耐力壁３Ｄに設けられた柱３３Ｄ，３３Ｄの直上の同一鉛直線上に来るように設置する。
この柱３３Ｄは、枠材を３枚合わせにして、大きな圧縮力に耐えるようにしたものである。
図８（ロ）壁パネル１０Ｄの枠組み割付図に示すように、壁パネル１０Ｄは二つの開口部１５Ｄと一体で、且つ耐力壁３Ｄの中央部分に柱３３Ｄ，３３Ｄが立設され、この柱３３Ｄは、枠材を３枚合わせにして、大きな圧縮力に耐えるようにしたものである。その上に屋根ユニット８Ａ，８Ｂ端部の縦材８１１，８１１が載置されるので建物ユニット１，１の床パネル１１，１１や基礎（不図示）に屋根等の荷重を分散することができ、ユニット建物の強度が上がる。
壁パネル１０Ｄは工場で内部外部の仕上げ（塗装、クロス貼り、建具取付け）られているので、現地では壁パネル１０Ｄを立設し、ボルト等による締結及び接合部の仕上げのみで完成するので、現地施工工数が少なくてすみ、また美麗に仕上がる。
【００３１】
以上、本発明を実施例により説明したが、本発明は上記実施例に限定されるものではなく、本発明の要旨を逸脱しない範囲の設計変更等があっても本発明に含まれるのは勿論である。
【００３２】
【発明の効果】
請求項１記載のユニット建物は、二つの建物ユニットの床パネルに股がって、巾８００ｍｍ以上の耐力壁パネルが立設され、耐力壁パネルの各床パネルへの接合長さはそれぞれ７００ｍｍ未満とされているから、例えば、建物ユニットの短辺側の長さが２５００ｍｍ長の場合、二つを隣接配置して合計５０００ｍｍ長の間に、巾１８００ｍｍ以上の開口部を二つ設けることができる。
【００３３】
請求項２記載のユニット建物は、三つの建物ユニットが長辺側同士で並べられ、相隣り合う床パネルに股がって、巾８００ｍｍ以上の耐力壁パネルが二つ立設され、耐力壁パネルの各床パネルへの接合長さはそれぞれ７００ｍｍ未満とされているから、例えば、建物ユニットの短辺側の長さが２５００ｍｍ長の場合、三つを隣接配置して合計７５００ｍｍ長の間に、巾１８００ｍｍ以上の開口部を二つ設けることができる。
【００３４】
請求項３記載のユニット建物は、隣り合う二つの建物ユニットの各々の床パネルに、巾７００ｍｍ未満の壁枠組みが立設され、壁枠組みの合計長さは８００ｍｍ以上とされ、工場付けされた二つの壁枠組みに、現地で面材が渡貼りされて耐力壁となされるから、現地施工工数が少なくて済み、壁内配線を床ともつないだ状態で工場付けできる。
【００３５】
請求項４記載のユニット建物は、隣り合う二つの建物ユニットの各々の床パネルに、巾７００ｍｍ未満の耐力壁パネルが立設され、耐力壁パネルの合計長さは８００ｍｍ以上とされ、工場付けされた二つの耐力壁パネルの縦枠の間に、現地でスペーサーを介して接合されて耐力壁となされるから、現地施工工数が少なくて済み、壁内配線を床ともつないだ状態で工場付けできるし、内面材を渡し貼りにすればさらに耐力壁の強度が上がる。
【００３６】
請求項５記載のユニット建物は、隣り合う二つの建物ユニットの各々の床パネルに股がって壁パネルが立設され、該壁パネルには上記床パネルに股がる領域に巾８００ｍｍ以上の耐力壁が一体化されているから、ユニット建物の強度が上がる。また、プラン上の自由度が上がる。さらに、壁パネル全体の仕上げ（塗装、クロス貼り、建具取付け）が工場で行うことができ、内外装が一体的になされ美麗に仕上がる。また、現地施工工数も少なくて済む。
【００３８】
そして、本発明のユニット建物は、上記建物ユニットに股がって立設される耐力壁パネルの柱とその上に載置される屋根ユニットのトラス端部と同一鉛直線上に柱が設けられているので、屋根等の上部構造体の荷重を、耐力壁を構成する柱で受け、下階居室ユニットや基礎等に分散でき、ユニット建物の構造強度に優れる。
【図面の簡単な説明】
【図１】本発明の実施例であるユニット建物を説明する斜視図である。
【図２】（イ）は開口部を含む部分の壁が立設されたコの字壁状の建物ユニットの斜視図、（ロ）は開口部を含む部分の壁が立設された二の字壁状の建物ユニットの斜視図である。
【図３】（イ）は建物ユニットを二つ隣接配置した平面図、（ロ）は耐力壁を立設する状況を示す斜視図である。
【図４】（イ）は建物ユニットを三つ隣接配置した平面図、（ロ）は耐力壁を立設する状況を示す斜視図である。
【図５】（イ）は建物ユニットを三つ隣接配置した平面図、（ロ）は耐力壁を立設する状況を示す斜視図である。
【図６】壁パネル同士を接合して、耐力壁とする状況を示す斜視図である。
【図７】（イ）は開口部と耐力壁一体型壁パネルを立設する状況を示す斜視図、（ロ）はその平面図である。
【図８】（イ）は開口部と耐力壁一体型壁パネルと屋根ユニットを立設する状況を示す斜視図、（ロ）はその開口部と耐力壁一体型壁パネルの枠組み割付図である。
【図９】イ），ロ）は従来の耐力壁の立設位置を示すユニット建物の平面図である。
【符号の説明】
１                            コの字壁状の建物ユニット
２                            二の字壁状の建物ユニット
３，３Ａ，３Ｂ，３Ｃ，３Ｄ，１２，１３，２２    耐力壁
４                            ジョイントプレート
８，８Ａ，８Ｂ                屋根ユニット
１０Ｃ，１０Ｄ                開口部付き耐力壁一体型壁パネル
１１，２１                    床パネル
１４，２３                    開口部付き壁パネル
１５，１５Ｃ，２４            開口部
３１，３１Ａ，３１Ｂ          面材
３２、３２Ａ，３２Ｂ          枠組み
【図１】
0004796684.tif 000002
【図２】
0004796684.tif 000003
【図３】
0004796684.tif 000004
【図４】
0004796684.tif 000005
【図５】
0004796684.tif 000006
【図６】
0004796684.tif 000007
【図７】
0004796684.tif 000008
【図８】
0004796684.tif 000009
【図９】
0004796684.tif 000010